(57)【要約】【課題】配線処理の訪問サービスを行う施工業者が様々な現場の状況に対応して配線カバーを設置し易くする。【解決手段】フロントカバー１０、左右のサイドカバー２０、これらを接続するアッパーカバー３０を備え、アッパーカバー３０を下向き鉤部３１で網状部材４０に吊り下げ可能とし、フロントカバー１０の横幅、アッパーカバー３０の横幅、フロントカバー１０の縦幅、サイドカバー２０の縦幅を、カバー部品Ｕ、Ｆ、Ｓ、Ｅを当該幅方向に配設する個数の選択、及びカバー部品Ｆ’、Ｓ、Ｅに形成された薄肉部２２、１６からの分割のうち、少なくとも一方によって調節可能に設けた。これら調節性により、ケーブルを覆い得る範囲を現場の状況に応じて調節して配線カバーを台側に適切に取り付け可能とし、配線カバーに係る器材運搬負担を抑え、現場の状況に応じてサイドカバー２０の接続要否等を適宜に決定可能とした。【選択図】図１
2013176250.tif 000002
【特許請求の範囲】
【請求項１】
台上の機器から導いたケーブル（１００）を覆うように固定手段（４０、４１、４２）を介して当該台に取り付ける配線カバーにおいて、
前記ケーブル（１００）を手前から覆うためのフロントカバー（１０）と、前記ケーブル（１００）を横から覆うための左サイドカバー（２０）及び右サイドカバー（２０）と、前記フロントカバー（１０）、前記左サイドカバー（２０）及び前記右サイドカバー（２０）を接続するアッパーカバー（３０）とを備え、
前記アッパーカバー（３０）を前記固定手段（４０、４１、４２）の介在相手とし、
前記フロントカバー（１０）の横幅、前記アッパーカバー（３０）の横幅、前記フロントカバー（１０）の縦幅、前記左サイドカバー（２０）の縦幅、及び前記右サイドカバー（２０）の縦幅を、カバー部品（Ｆ、Ｆ’Ｕ、Ｓ、Ｅ）を当該幅方向に配設する個数の選択、及びカバー部品（Ｆ’、Ｓ、Ｅ）に形成された薄肉部（２２、１６）からの分割のうち、少なくとも一方によって調節可能に設けたことを特徴とする配線カバー。
【請求項２】
前記フロントカバー（１０）の縦幅を、自己の上下両側に分けて互いに組合せ可能な形状の上側係合部（１１、１１’）及び下側係合部（１２、１２’）が形成されたカバー部品（Ｆ、Ｆ’）の配設個数で調節可能とし、
前記上側係合部（１１、１１’）を他のカバー部品（Ｆ、Ｆ’）の下側係合部（１２、１２’）に対して横からスライド挿入する上下及び前後の係合構造によって両カバー部品（Ｆ、Ｆ’）を連結可能とした請求項１に記載の配線カバー。
【請求項３】
前記アッパーカバー用のカバー部品（Ｕ）の内面側に、吊り下げフック（３３）を当該カバー部品（Ｕ）の前壁後面との間に対面隙間（３６）を成すように取り付け可能とし、
前記上側係合部（１１、１１’）に、前記フロントカバー用のカバー部品（Ｆ、Ｆ’）の前面上縁から縦幅をもって後方へ凹むように形成された重ね面（１３）と、当該カバー部品（Ｆ、Ｆ’）の後面上縁から縦幅をもって後方に出張るように形成されたフック掛け面（１４）とを含み、
前記下側係合部（１２、１２’）に、前記フロントカバー用のカバー部品（Ｆ、Ｆ’）の後面下縁から縦幅をもって前記重ね面（１３）に手前から重なるように形成された手前重ね壁（１５）を含み、
前記フック掛け面（１４）及び前記重ね面（１３）を前記対面隙間（３６）に挿入すると、前記アッパーカバー用のカバー部品（Ｕ）の前壁（３７）が手前から前記重ね面（１３）に重なると共に、前記吊り下げフック（３３）が前記フック掛け面（１４）に掛り、この掛りによって前記フロントカバー用のカバー部品（Ｆ、Ｆ’）と前記アッパーカバー用のカバー部品（Ｕ）を接続可能とした請求項２に記載の配線カバー。
【請求項４】
前記固定手段は、網状部材（４０）と、台縦壁に前記網状部材（４０）を固定する接着手段（４１、４２）とからなり、
前記アッパーカバー用のカバー部品（Ｕ）に下向き鉤部（３１）を設け、前記網状部材（４０）に前記下向き鉤部（３１）を引っ掛けることによって前記アッパーカバー（３０）を吊り下げ可能とした請求項１から３のいずれか１項に記載の配線カバー。
【請求項５】
前記薄肉部（２２、１６）は、カバー部品（Ｓ、Ｅ、Ｆ’）の内面側にのみ形成された溝部からなる請求項１から４のいずれか１項に記載の配線カバー。
【請求項６】
前記フロントカバー（１０）と前記左サイドカバー（２０）、前記フロントカバー（１０）と前記右サイドカバー（２０）を、それぞれに現場でカバー内面側に貼り付ける面ファスナ（５０）によって接続可能とした請求項１から５のいずれか１項に記載の配線カバー。
【発明の詳細な説明】
【技術分野】
【０００１】
この発明は、台上の機器から導いたケーブルを覆うように固定手段を介して当該台に取り付ける配線カバーに関する。
【背景技術】
【０００２】
近年、ネットワーク家電化が進み、ＡＶラック、ＰＣラック、ＯＡデスクといった台上にパソコン、テレビ、レコーダ、オーディオ、電話といった機器を配置し、これら機器に接続する通信線、ＴＶアンテナ線、外部電源接続線が台脇に集中することが増えている。一般に、通信線等のケーブルを接続する際は、長さに十分な余裕をもったものを用意し、接続完了後にケーブルの冗長部分を適当に台近傍の床面に放置している。このような放置は、室内の景観、電気的な安全上から好ましくなく、ケーブルを台後方に導き、カバーで覆う方がよい。
【０００３】
従来、台縦壁に取り付ける前面開放の筐体と、筐体の前面を閉じる蓋体とを備え、筐体の後壁前面にケーブル巻き用のピンを縦横に所定間隔で適宜に配置可能とした配線カバーが提案されている。この配線カバーは、筐体上面の配線口からケーブルを筐体内に導き、ピンで冗長部を処理した後、筐体下面の配線口から筐体外に導き、蓋体で筐体を閉じることでケーブルを覆うことができるようになっている（特許文献１）。
【先行技術文献】
【特許文献】
【０００４】
【特許文献１】特許第３０５８０１１号公報
【発明の概要】
【発明が解決しようとする課題】
【０００５】
一般家庭においては、当初、床面に放置したケーブル本数が少なくとも、機器追加で台付近に何本も集中してくるが、機器間の配線を取り扱える知識をもたないユーザも多く存在する。このようなユーザは、ケーブル接続を一旦解除して冗長部の処理、配線カバーの取り付けを自分で行うことができず、出張サービスを業者に依頼することになる。施工業者は、依頼者宅に配線処理用の各種用具を持ち込み、必要に応じて用具を選択し、作業を行う。施工業者が特許文献１の配線カバーを利用する場合、依頼者に台のサイズを事前に教えてもらい、適当なサイズの筐体及び蓋体を備えた配線カバーを依頼者宅に持ち込むことになる。
【０００６】
しかしながら、施工業者が大規模な地域で迅速にサービスを提供しようとすると、様々な依頼者宅の状況を想定しなければならない。また、形態が相違する複数の台の周辺を処理することも起り得る。特許文献１の配線カバーを利用する場合、施工業者は、嵩張る筐体をサイズ違いでいくつも用意し、依頼者宅の訪問を行うことになり、器材運搬が難しい。
【０００７】
そこで、この発明が解決しようとする課題は、配線処理の訪問サービスを行う施工業者が様々な現場の状況に対応して配線カバーを設置し易くすることである。
【課題を解決するための手段】
【０００８】
上記の課題を解決するため、この発明は、ケーブルを手前から覆うためのフロントカバーと、ケーブルを横から覆うための左サイドカバー及び右サイドカバーと、フロントカバー、左サイドカバー及び右サイドカバーを接続するアッパーカバーとを備えた配線カバーとし、配線カバーを台に取り付ける固定手段の介在相手をアッパーカバーとすることにより、アッパーカバーを台側への取り付け基準部としてフロントカバー、左サイドカバー、右サイドカバーの各縦幅を調節することができるようにした。したがって、ケーブルを横、手前から覆い得る縦方向範囲を状況に応じて調節し、台高さに応じて配線カバーを床面との間に適宜の隙間を作って設置することができる。さらにフロントカバー、アッパーカバーの各横幅も調節可能とすることにより、ケーブルを上、手前から覆い得る横方向範囲を状況に応じて調節し、台横幅に応じて配線カバーを台から横に食み出ないように設置することができる。これら横幅、縦幅の調節は、当該カバーの構築に用いるカバー部品を当該幅方向に配設する個数の選択、及びカバー部品の分割のうち、少なくとも一方によって実現することができる。配設数選択で得られる幅延長性によれば、器材運搬時の部品の嵩張りを抑えることができる。部品分割で得られる幅短縮性によれば、器材運搬時の部品数を抑えることができる。現場での部品分割作業は、予めカバー部品に分割用の薄肉部を形成しておくことで、折り曲げ、カッター等により迅速に行うことができる。床面と配線カバー間の隙間をフロントカバー、左右サイドカバーの縦幅調節によって狭くし、アッパーカバーやフロントカバーでケーブルへ塵埃が降り積もることを防止できるので、ケーブルを下方から覆うアンダーカバーや、フロントカバーと対面するバックカバーを具備することは必須でない。したがって、アッパーカバーを固定手段の介在相手とし、かつ左右サイドカバー、フロントカバーの接続先とすれば、現場の状況に応じて、左サイドカバー、右サイドカバーの接続要否や、適当なアンダーカバー、バックカバーを用意、追加することを適宜に決定することもできる。
【０００９】
フロントカバーは、左右サイドカバーに比して大面積になるので、薄肉部による分割性のみでフロントカバーの縦幅調節を行うようにすると、フロントカバーを大面積の一個ものにすることになり、成形が難しくなる。このため、フロントカバーの縦幅は、縦幅方向に配設するカバー部品の個数の選択で調節可能にすることが好ましい。
【００１０】
具体的には、前記フロントカバーの縦幅を、自己の上下両側に分けて互いに組合せ可能な形状の上側係合部及び下側係合部が形成されたカバー部品の配設個数で調節可能とし、前記上側係合部を他のカバー部品の下側係合部に対して横からスライド挿入する上下及び前後の係合構造によって両カバー部品を連結可能とするとよい。上側係合部と他のカバー部品の下側係合部とで両カバー部品を連結し、配設個数を適宜に調節することができるので、個々のカバー部品の縦幅を小さくし、成形を容易にすることができる。横方向にスライド挿入する組合せ方にすれば、上下方向及び前後方向の係合構造が実現でき、下側のカバー部品を上側のカバー部品に対して上下方向及び前後方向に位置が定まれば、フロントカバーを作るのに十分である。また、現場で接着やねじ止め等の手間が掛かる作業を要さず、同様の連結を繰り返して適宜の配設個数のフロントカバーを作ることができる。また、配線カバーの取り付け位置を修正後、配線カバーの下方からケーブルを取り出すのに床面との隙間が不足する事態になっても、フロントカバーや左右サイドカバーの片方を軽く反らせてフロントカバー最下部のカバー部品を横に引き抜くだけで、床面との隙間を拡げることができる。
【００１１】
より具体的には、前記アッパーカバー用のカバー部品の内面側に、吊り下げフックを当該カバー部品の前壁後面との間に対面隙間を成すように取り付け可能とし、前記上側係合部に、前記フロントカバー用のカバー部品の前面上縁から縦幅をもって後方へ凹むように形成された重ね面と、当該カバー部品の後面上縁から縦幅をもって後方に出張るように形成されたフック掛け面とを含み、前記下側係合部に、前記フロントカバー用のカバー部品の後面下縁から縦幅をもって前記重ね面に手前から重なるように形成された手前重ね壁を含み、前記フック掛け面及び前記重ね面を前記対面隙間に挿入すると、前記アッパーカバー用のカバー部品の前壁が手前から前記重ね面に重なると共に、前記吊り下げフックが前記フック掛け面に掛り、この掛りによって前記フロントカバー用のカバー部品と前記アッパーカバー用のカバー部品を接続可能とすることが好ましい。上側係合部には、一列を成すカバー部品の最も上の連結箇所で以降の全カバー部品の重量を受ける前提の強度を与えることになる。したがって、上側係合部は、一列を吊り下げるためのフック掛け部分に必要な強度にしても無駄にならず、この上側係合部のフック掛け面を利用したアッパーカバー側への吊り下げにより、フロントカバー用のカバー部品の形状複雑化を抑えることができる。一列の最上部に位置したカバー部品の重ね面にはアッパーカバー側の前壁が手前から重なり、それ以降のカバー部品の重ね面には、下側係合部の手前重ね壁が重なるので、アッパーカバーとフロントカバーの繋ぎ目、フロントカバーのカバー部品同士の繋ぎ目を同様に目立たなくすることができる。
【００１２】
前記固定手段は、網状部材と、台縦壁に前記網状部材を固定する接着手段とからなり、前記アッパーカバー用のカバー部品に下向き鉤部を設け、前記網状部材に前記下向き鉤部を引っ掛けることによって前記アッパーカバーを吊り下げ可能とすることが好ましい。アッパーカバーはフロントカバー、左右サイドカバーの接続先なので、アッパーカバーの取り付けによってフロントカバー等も網状部材に吊り下げ、もって配線カバーを台側へ取り付けることができる。配線カバーの台縦壁に対する取り付け位置は、網状部材に引っ掛ける目を変えるだけで簡単に調節することができる。網状部材を台縦壁に接着すれば、依頼者宅の台を傷めることなく、下向き鉤部でアッパーカバーの取り付けが可能となる。また、現場によっては配線カバーが大きくなり、永久磁石を用いた磁気吸着を採用すると、多くの永久磁石ないし強力な永久磁石を要するので、機器やケーブルにとってノイズ源になり得るが、接着を採用すればこの心配がない。
【００１３】
網状部材の目の大きさは、適宜に選択すればよい。配線カバーの位置安定性を優先するなら、目の横幅を下向き鉤部に対応させ、目をケーブルの通し口に利用するなら、目の縦幅、横幅をケーブルに対応させればよい。台の中棚、底棚に置いた機器のケーブルを台の後方開放口から取り出す状況であれば、後方開放口に網状部材の目を重ねる固定とすることにより、中棚上の機器のケーブルを網状部材の目、後方開放口に通して配線カバーの内外に導くことができる。
【００１４】
前記薄肉部は、カバー部品の内面側にのみ形成された溝部からなることが好ましい。溝部にすると、折り曲げ、カットといった分割作業を溝部に沿って行い易い。溝部をカバー部品の内面側に形成すると、溝部に塵や埃が堆積して目立つような事態を避けることができる。
【００１５】
前記フロントカバーと前記左サイドカバー、前記フロントカバーと前記右サイドカバーを、それぞれに現場でカバー内面側に貼り付ける面ファスナによって接続可能とすることが好ましい。フロントカバーと左右サイドカバーの接続も必須でないが、外観、密閉性を向上させたい場合がある。フロントカバーと左右サイドカバーの縦幅調節後、現場でこれらのカバー内面側に面ファスナを貼り付けて接続可能なので、磁気吸着の採用を避けつつ、前記の場合にも柔軟に対応することができる。
【発明の効果】
【００１６】
上述のように、この発明は、台上の機器から導いたケーブルを覆うように固定手段を介して当該台に取り付ける配線カバーにおいて、前記ケーブルを手前から覆うためのフロントカバーと、前記ケーブルを横から覆うための左サイドカバー及び右サイドカバーと、前記フロントカバー、前記左サイドカバー及び前記右サイドカバーを接続するアッパーカバーとを備え、前記アッパーカバーを前記固定手段の介在相手とし、前記フロントカバーの横幅、前記アッパーカバーの横幅、前記フロントカバーの縦幅、前記左サイドカバーの縦幅、及び前記右サイドカバーの縦幅を、カバー部品を当該幅方向に配設する個数の選択、及びカバー部品に形成された薄肉部からの分割のうち、少なくとも一方によって調節可能に設けた構成の採用により、フロントカバー、左サイドカバー、右サイドカバーの各縦幅を調節してケーブルを横、手前から覆い得る縦方向範囲を現場の状況に応じて調節し、さらにフロントカバー、アッパーカバーの各横幅も調節してケーブルを上、手前から覆い得る横方向範囲を現場の状況に応じて調節して配線カバーを台側に適切に取り付け可能であり、また、配線カバーに係る器材運搬負担を抑えることができ、また、現場の状況に応じて左右サイドカバーの接続要否等を適宜に決定可能なので、配線処理の訪問サービスを行う施工業者が様々な現場の状況に対応して配線カバーを設置し易くすることができる。
【図面の簡単な説明】
【００１７】
【図１】実施形態に係る配線カバーを内面側から示した全体斜視図
【図２】（ａ）は実施形態に係る配線カバーの一部を切り欠いて示した側面図、（ｂ）は前記（ａ）の下向き鉤部付近の拡大図
【図３】（ａ）は実施形態に係るアッパーカバー用のカバー部品を内面側から示した全体斜視図、（ｂ）は前記カバー部品の下面図、（ｃ）は前記カバー部品の側面図
【図４】（ａ）は実施形態に係るフロントカバー用のカバー部品を内面側から示した全体斜視図、（ｂ）は前記カバー部品同士の係合構造を示した部分斜視図、（ｃ）は前記カバー部品同士の係合構造の断面図
【図５】（ａ）は実施形態に係るサイドカバー用のカバー部品を内面側から示した全体斜視図、（ｂ）は前記カバー部品の内面側の側面図
【図６】（ａ）は実施形態に係るサイドカバー用の延長カバー部品を内面側から示した全体斜視図、（ｂ）は前記カバー部品の内面側の側面図、（ｃ）は前記カバー部品の前面図
【図７】実施形態に係る配線カバーを台側に取り付ける様子を示した斜視図
【図８】（ａ）はアッパーカバー用のカバー部品同士の連結構造及び吊り下げフックの取り付け構造を示した斜視図、（ｂ）は前記吊り下げフックの使用状態の断面図
【図９】実施形態に係るサイドカバー用のカバー部品と延長カバー部品の接続構造を示した斜視図
【図１０】実施形態に係るフロントカバーの一組み立て例の前面図
【図１１】図１１のフロントカバーの縦断面図
【図１２】実施形態に係るフロントカバー変更例を示した全体斜視図
【図１３】（ａ）は上記フロントカバー変更例のカバー部品の要部前面図、（ｂ）は上記フロントカバー変更例のカバー部品の側面図
【図１４】図１２のフロントカバー変更例の分解斜視図
【図１５】上記フロントカバー変更例のカバー部品の縦断面図
【発明を実施するための形態】
【００１８】
以下、この発明に係る配線カバーの一例である実施形態（以下、単に「この配線カバー」と呼ぶ）を添付図面に基づいて説明する。図１、図２に示すように、この配線カバーは、台上の機器から導いたケーブルを覆うように固定手段を介して台縦壁に取り付けるためのものである。この配線カバーは、ケーブルを手前から覆うためのフロントカバー１０と、ケーブルを横から覆うための左サイドカバー２０及び右サイドカバー２０と、フロントカバー１０、左サイドカバー２０及び前記右サイドカバー２０を接続するアッパーカバー３０とを備えている。この配線カバーは、バックカバー、アンダーカバーを省略し、この配線カバーの下面を床面に開放し、この配線カバーの後面を台縦壁に開放したものとなっている。なお、この発明において、縦方向は、水平に対する鉛直方向であり、上下の方向概念は縦方向に関する。前後の概念は、縦方向に直角な方向であって、台に遠い方が前、台に近い方が後である。横方向は、縦方向及び前後方向に直角な方向であり、左右の概念は、横方向に関する。
【００１９】
アッパーカバー３０の外面は、図３に示す一個以上のアッパーカバー用のカバー部品Ｕ（以下、「カバー部品Ｕ」と称する。）によって形成することができる。カバー部品Ｕの外面は、この配線カバーの上面及び前面上部を成す。カバー部品Ｕは、自己の縦幅に亘って同じ横幅をもち、自己の横幅中央を通る鉛直面を鏡映面とする鏡像対称性をもった形状になっている。
【００２０】
フロントカバー１０の外面は、図４（ａ）に示す一個以上のフロントカバー用のカバー部品Ｆ（以下、「カバー部品Ｆ」と称する。）によって形成することができる。カバー部品Ｆの外面は、この配線カバーの前面残部のうち、左右両端部を除いた最大面積を成す。カバー部品Ｆも、自己の縦幅に亘って同じ横幅をもち、自己の横幅中央を通る鉛直面を鏡映面とする鏡像対称性をもった形状になっている。
【００２１】
左サイドカバー２０及び右サイドカバー２０は、図３に示すカバー部品Ｕの横幅中央を通る鉛直面を鏡映面とした鏡像対称性をもつ関係になっているので、以下、左右を問わないときは、単に「サイドカバー２０」と呼ぶ。サイドカバー２０の外面は、図５に示すサイドカバー用のカバー部品Ｓ（以下、「カバー部品Ｓ」と略称する。）と、図６に示す延長カバー部品Ｅとによって形成することができる。カバー部品Ｓは、カバー部品Ｕに接続する。延長カバー部品Ｅは、カバー部品Ｓに接続する。カバー部品Ｓの外面、延長カバー部品Ｅの外面は、この配線カバーの左右一方の側面と、前面残部の左右一方の端部とを成す。
【００２２】
上述のように、各カバー部品Ｕ、Ｆ、Ｓ、Ｅは、配線カバーの外面を成す部品である。これらカバー部品Ｕ、Ｆ、Ｓ、Ｅは、例えば、合成樹脂の射出成型によって一体に形成することができる。
【００２３】
前記固定手段は、図２、図７に示すように、網状部材４０と、台縦壁に網状部材４０を固定する接着手段とからなる。網状部材４０は、合成樹脂で形成された格子状パネルからなり、現場でロール体（図示省略）から適宜に切り出すようになっている。接着手段は、複数のブラケット４１と、各ブラケット４１を台縦壁に接着する両面テープ４２とで構成されている。ブラケット４１は、縦方向に沿った後面をもつ支持板部と、支持板部に網状部材の目枠箇所を保持するホルダ部とをもち、支持板部の後面を両面テープ４２との接着面にするものとなっている。なお、網状部材４０の目の大きさは、ＴＶアンテナ線、ＬＡＮケーブル等の同軸ケーブル、電話線、電源コードといった一般的なケーブルを通過させることができる大きさのものを採用すればよい。一般的なケーブルの中では、同軸ケーブルの中でもＬＡＮケーブルを基準にすればよい。ＬＡＮケーブルの標準規格の中で最大のコネクトは、列挙した一般的なケーブル類の中で縦横が最も大きく、これを基準に目の大きさを決めれば、一般的なケーブルを現場で目に通すことに困らない。具体的には、目の横幅が３４ｍｍ、目の縦幅が３４ｍｍあれば十分である。
【００２４】
図２（ｂ）、図３に示すように、カバー部品Ｕは、上面後縁から前方に離れたところで下方に突き出た後壁をもっている。この後壁の横方向複数個所が、台縦壁に固定された網状部材４０の目枠に引っ掛ける下向き鉤部３１になっている。すなわち、アッパーカバー３０は、自己を形成する各カバー部品Ｕの下向き鉤部３１を網状部材４０の目枠に引っ掛けることによって前記固定手段の介在相手とすることができる。
【００２５】
図１、図３、図８に示すように、カバー部品Ｕのカバー内面側の左右両側に、カバー部品Ｓのねじ止め用兼カバー部品Ｕの連結用に形成された穴部３２と、吊り下げフック３３のねじ止め用の穴部３４とが形成されている。アッパーカバー３０の横幅は、カバー部品Ｕを横幅方向に配設する個数の選択によって調節可能になっている。横に隣接するカバー部品Ｕ同士は、一方のカバー部品Ｕの上面及び前面の左先端部と、他方のカバー部品Ｕの上面及び前面の右先端部とを突き合わせ、両カバー部品Ｕの穴部に合せて連結板３５を架け、ねじで連結板３５を両穴部３２に締結することによって連結可能となっている。この連結を繰り返すことで、アッパーカバー３０の横幅方向におけるカバー部品Ｕの配設個数を増し、アッパーカバー３０の横幅を延長することができる。
【００２６】
なお、カバー部品Ｕを図示例のように上面から前面を成す複雑な断面形状でなく、平面的な断面形状にする場合、自己を横幅方向に分割する直線上に一連又は断続的に薄肉部を形成することで、折り曲げ、カッターによる分割を容易とし、カバー部品Ｕの横幅短縮性を付与することもできる。一般に、台の横幅は大きいので、アッパーカバー３０の横幅は大きく、カバー部品Ｕの横幅を現場で短縮する必要性に乏しい。
【００２７】
カバー部品Ｓは、自己のカバー内面側に形成されたねじ止め部２１をカバー部品Ｕの穴部３２に合せてねじで締結することによってカバー部品Ｕに接続可能となっている。すなわち、カバー部品Ｕの左右一方側に、他のカバー部品Ｕ及び左右一方のカバー部品Ｓを選択的に接続可能であって、カバー部品Ｕの左右他方側に、他のカバー部品Ｕ及び左右他方のカバー部品Ｓを選択的に接続可能となっている。
【００２８】
カバー部品Ｓの縦幅は、図５に示すように、自己を上下に区画する一直線上に形成された薄肉部２２からの分割によって短縮可能となっている。薄肉部２２は、カバー部品Ｓのカバー内面側にのみ形成された溝部からなる。溝部は、水平なＶ溝状でカバー部品Ｓの前後幅に亘っている。薄肉部２２は、カバー部品Ｓの縦幅下端から上に向って一定間隔で複数個所に形成されている。カバー部品Ｓは、硬質の合成樹脂からなるので、適宜の薄肉部２２から下側の部分をカバー外面側へ大きく曲げることにより、ここからカバー部品Ｓが折損し、分割することができる。図５、図９に示すように、薄肉部２２で区画されたカバー部品Ｓの離断可能領域のうち、最下部の離断可能領域のカバー内面側に、延長カバー部品Ｅを接続するためのトップ側係合部２３が形成されている。延長カバー部品Ｅは、図６、図９に示すように、カバー部品Ｓと同様の薄肉部２２で自己の縦幅に亘って離断可能領域に区画されている。その最上部の離断可能領域に、トップ側係合部２３に対応する延長側係合部２４が形成されている。図示例は、トップ側係合部２３が一対の突軸部、延長側係合部２４がトップ側係合部２３の突軸部に圧入する嵌合孔部となっている。カバー部品Ｓと延長カバー部品Ｅの接続は、サイドカバー２０を構築できる限り、ねじ止め、接着等、他の接続手段でもよい。このように、サイドカバー２０の縦幅は、サイドカバー用のカバー部品（カバー部品Ｓ、延長カバー部品Ｅ）を縦幅方向に配設する個数の選択、また、カバー部品Ｓ、延長カバー部品Ｅの薄肉部からの分割によって調節可能となっている。
【００２９】
なお、延長カバー部品Ｅは、自己の前後幅中央を通る鉛直面を鏡映面とした鏡像対称形に形成されているので、左右いずれのカバー部品Ｓにも同じ接続手段で接続可能となっている。延長カバー部品Ｅが左右サイドカバー２０、２０に共通なので、器材管理が容易である。サイドカバー２０は、縦に長いカバー部品Ｓ一個で形成するよりも、延長カバー部品Ｅの採用でカバー部品Ｓの成型寸法を小さくすることが好ましい。延長カバー部品Ｅの最下部の離断可能領域に適宜の接続手段を形成しておき、他の延長カバー部品を接続可能にすることもできる。図示例のサイドカバー２０の最大縦幅は、非分割のカバー部品Ｓと一個の非分割の延長カバー部品Ｅとで決まる。一般的な床置き台の高さを考慮すると、図示例のように、一個の延長カバー部品Ｅの接続で実用上十分な延長範囲にすることができる。
【００３０】
図１に示すフロントカバー１０の縦幅は、カバー部品Ｆの配設個数で調節可能となっている。カバー部品Ｆの前面視は、図１０、図４（ａ）に示すように矩形板状になっている。カバー部品Ｆは、図４（ｂ）、（ｃ）に示すように、自己の上下両側に分けて互いに組合せ可能な形状の上側係合部１１及び下側係合部１２が形成されたものとなっている。上側係合部１１を、他のカバー部品Ｆの下側係合部１２に対して横からスライド挿入する上下及び前後の係合構造によって両カバー部品Ｆを連結することができる。この連結を繰り返すことで、図１、図１１に示すように、フロントカバー１０の縦幅方向におけるカバー部品Ｆの配設個数を増し、フロントカバー１０の縦幅を延長することができる。連結された両カバー部品Ｆは、一方を他方に対して横に自由に動かすことができるようになっている。
【００３１】
上側係合部１１は、図４（ｂ）、（ｃ）に示すように、カバー部品Ｆの横幅の両端部と、これら両端部間の一定間隔に並ぶ横方向複数個所とに形成されている。上側係合部１１は、カバー部品Ｆの横幅に亘って形成してもよいが、射出成型後にカバー外面となるカバー部品Ｆ前面のヒケ発生を防止するため、横方向複数個所に分散配置で形成することが好ましい。一方、下側係合部１２は、横方向のスライド挿入を円滑にするため、カバー部品Ｆの横幅に亘って形成されている。上側係合部１１、下側係合部１２は、横方向のスライドで組み合わせる構造に限定されず、例えば、上側係合部１１を上方に突出する爪部とし、下側係合部１２をカバー部品Ｆから食み出ない凹状、段状といった爪掛り部としたり、上側係合部１１を上述のような嵌合孔部、下側係合部１２を上述のような突軸部にしたりすることもできる。
【００３２】
図８、図１１に示す吊り下げフック３３は、ねじでカバー部品Ｕの穴部３４に締結することによって、カバー部品Ｕに取り付け可能となっている。締結された吊り下げフック３３は、カバー部品Ｕの前面を成す前壁後面との間に、下側に開放された対面隙間３６を成す。上側係合部１１は、図４（ｃ）、図８（ｂ）に示すように、カバー部品Ｆの前面上縁から縦幅をもって後方へ凹むように形成された重ね面１３と、カバー部品Ｆの後面上縁から縦幅をもって後方に出張るように形成されたフック掛け面１４とを含んでいる。下側係合部１２は、カバー部品Ｆの後面下縁から縦幅をもって重ね面に手前から重なるように形成された手前重ね壁１５を含んでいる。図８（ｂ）、図１１に示すように、フック掛け面１４及び重ね面１３を対面隙間３６に対して下側から挿入すると、カバー部品Ｕの前壁３７が手前から重ね面１３に重なると共に、吊り下げフック３３がフック掛け面１４に掛る。この掛りによってカバー部品Ｆとカバー部品Ｕが接続される。カバー部品Ｕごとにカバー部品Ｆを接続可能なので、フロントカバー１０の横幅は、カバー部品Ｆを横幅方向に配設する個数の選択によって調節可能となっている。カバー部品Ｕの前壁３７と、手前重ね壁１５は、同じように重ね面１３に重なるので、カバー部品Ｕに吊り下げた縦一列のカバー部品Ｕ、最上部のカバー部品Ｆ間、以降のカバー部品Ｆ、Ｆ間における各繋ぎ目の外観は、同様に統一することができる。
【００３３】
一個のカバー部品Ｕに吊り下げる一列のカバー部品Ｆの前面下縁は、カバー部品Ｆの配設個数の調節により、カバー部品Ｕに接続された態で、適宜の縦幅に調節してカバー部品Ｕに接続されたサイドカバー２０の前面下縁と同じ高さに調節可能となっている。また、カバー部品Ｆとカバー部品Ｕは、同じ横幅をもち、カバー部品Ｆが前面視矩形板状なので、カバー部品Ｆのフロントカバー１０における横幅方向の配設個数を２以上にする場合でも、隣接するカバー部品Ｕ同士の突き合わせ目の下方に、隣接する一列のカバー部品Ｆ同士の並び目が隙間となって目立つことを防ぎ、隣接する一列カバー部品Ｆ同士を繋ぐ手間を無くすことができる。
【００３４】
フロントカバー１０とサイドカバー２０は、それぞれに現場でカバー内面側に貼り付ける面ファスナ５０によって接続可能となっている。カバー部品Ｓ、延長カバー部品Ｅのカバー内面側には、面ファスナ５０の雌雄一方を貼り付けるための突板部２５が各離断可能領域に形成されている。各突板部２５に手前から対面するカバー部品Ｆの対応後面部分に面ファスナ５０の雌雄他方を貼り付けることができる。縦幅調節後に残る突板部２５の全てに面ファスナ５０を貼り付ける必要性はなく、最下部等、適宜に必要な箇所の突板部２５を利用すればよい。
【００３５】
フロントカバー１０の外面、アッパーカバー３０の外面は、上述のように同一形のカバー部品Ｆ、Ｕのみを用いて形成することができるので、フロントカバー１０、アッパーカバー３０を作る連結作業が単一化され、器材管理も容易である。
【００３６】
以下、この配線カバーの使用例を説明する（適宜、上述の添付図面を参照のこと）。先ず、図７に示すように、ＡＶラック等の台縦壁に対して食み出ないように適当な大きさに用意した網状部材４０を接着手段で接着する。台天板上に置いた機器のケーブル１００、中棚に置いた機器のケーブル１００の冗長部分を円形に巻いて適当な結束バンドで網状部材の前面側に括り付けたり、冗長部分を網状部材４０に絡めたりして適切に処理し、所望の取り出し方向に向けて配置する。この際、中棚の機器のケーブル１００は、網状部材４０の目に通すことができる。
【００３７】
ケーブル１００を覆う範囲を決め、必要なアッパーカバー３０の横幅、フロントカバー１０の横幅、サイドカバー２０の縦幅、フロントカバー１０の縦幅を決める。図示例では、台上の全機器のケーブル１００を一個の配線カバーで覆いつつ、配線カバーの下方からケーブル１００を取り出せるように決める。この際、カバー部品Ｕを下向き鉤部３１で網状部材４０に対して適切な位置に横並びで順次に吊り下げて行き、アッパーカバー３０に必要な横幅を容易に３個分に決めることができる。カバー部品Ｕの３連結作業を行い、各カバー部品Ｕに吊り下げフック３３を取り付けてアッパーカバー３０を組み立てる。適宜にカバー部品Ｕに形成された配線口部３８の蓋壁を突いて分離し、台天板上の機器のケーブルを、開口した配線口部３８に通して配線カバー内に導けるようにすることができる。アッパーカバー３０の組み立ては、３連結後、下向き鉤部３１で適切な網状部材４０の位置に吊り下げてもよいし、各連結を網状部材４０に吊り下げた状態で行ってもよい。組み立てたアッパーカバー３０が網状部材４０に吊り下げられた状態では、サイドカバー２０、フロントカバー１０に設定すべき縦幅をメジャー等で測定することができる（図示例ではカバー部品Ｆの縦一列の適切な配設個数を６個とする）。
【００３８】
左右のサイドカバー２０をカバー部品Ｓと延長カバー部品Ｅの接続、薄肉部２２からの分割等で適切な縦幅とし、アッパーカバー３０にねじ止めする。この作業は、アッパーカバー３０を網状部材４０から外した状態、又は吊り下げたままの状態のいずれで実施してもよい。また、カバー部品Ｆの縦一列６連結作業を３セット行い、各縦一列のセットを各カバー部品Ｕの吊り下げフック３３に吊り下げる。カバー部品Ｕとカバー部品Ｆを吊り下げ構造で接続するため、この作業は、アッパーカバー３０を網状部材４０に吊り下げた状態で行う。これにより、配線カバーの台側への取り付けが完了する。サイドカバー２０と、これに隣接するセットのカバー部品Ｆとを面ファスナ５０で接続する。これにより、配線カバーの組み立てが完了する。配線カバーの横方向の位置ズレは、網状部材４０の目枠縦部によって左右両側に規制される。
【００３９】
このように、この配線カバーを利用すれば、現場の状況に応じて、台天板上の機器のケーブル１００、中棚上の機器のケーブル１００を、アッパーカバー３０に形成された配線口部３８、フロントカバー１０の後方、アッパーカバー３０の下方、サイドカバー２０の下方の中から適宜に選択して配線カバー内外に出し入れして適宜の方向に導き、外部からは台縦壁に一体化した配線カバーでケーブル１００の略大部分を手前及び両横から覆うことができる。ケーブル１００を高い位置で横に取り出したい場合、該当する方のサイドカバー２０を省略すればよい。
【００４０】
また、配線カバーを組み立て後、フロントカバー１０を手前に引っ張れば、左右のサイドカバー２０との面ファスナ５０による接着を最下部側から解除することができる。この解除のまま、左右のサイドカバー２０の片方を外側へ反らせ、最下部のカバー部品Ｆを横に引く抜くことができる。このため、最下部のカバー部品Ｆを下に引いて分離する係合構造よりも、配線カバーと床面間の隙間を拡大する作業が容易である。
【００４１】
この発明の技術的範囲は、上述の実施形態に限定されず、特許請求の範囲の記載に基く技術的思想の範囲内での全ての変更を含むものである。例えば、フロントカバーの変更例を図１２〜図１５に示すように、カバー部品Ｆ’の縦幅を拡大してサイドカバー２０と同じく薄肉部１６を縦方向複数個所に形成し、適宜の薄肉部１６から下側を分離してフロントカバー１０’の縦幅を短縮可能に設けることもできる。
【符号の説明】
【００４２】
Ｕ、Ｆ、Ｆ’、Ｓ  カバー部品
Ｅ  延長カバー部品
１０  フロントカバー
１１  上側係合部
１２  下側係合部
１３  重ね面
１４  フック掛け面
１５  手前重ね壁
１６、２２  薄肉部
２０  サイドカバー
２１  ねじ止め部
２３  トップ側係合部
２４  延長側係合部
２５  突板部
３０  アッパーカバー
３２、３４  穴部
３３  吊り下げフック
３５  連結板
３６  対面隙間
３７  前壁
４０  網状部材
４１  ブラケット
４２  両面テープ
５０  面ファスナ
【図１】
2013176250.tif 000003
【図２】
2013176250.tif 000004
【図３】
2013176250.tif 000005
【図４】
2013176250.tif 000006
【図５】
2013176250.tif 000007
【図６】
2013176250.tif 000008
【図７】
2013176250.tif 000009
【図８】
2013176250.tif 000010
【図９】
2013176250.tif 000011
【図１０】
2013176250.tif 000012
【図１１】
2013176250.tif 000013
【図１２】
2013176250.tif 000014
【図１３】
2013176250.tif 000015
【図１４】
2013176250.tif 000016
【図１５】
2013176250.tif 000017